(57)【要約】【課題】回路基板をガタつきなく容易に取付けることができるとともに、回路基板の取付／取外しの作業性を高めることができ、しかも、回路基板の保守点検等で螺子が取外しされたとき、回路基板が自重で脱落するのを防ぐことができるようにする。【解決手段】後面１０ａの両側部にインバータ回路基板１３，１３を有し、後面１０ａの上部に制御回路基板１４を有する本体モジュール１の制御回路基板１４の下側で、且つインバータ回路基板１３，１３の間に、メイン回路基板２１及び電源回路基板２２を台板２０に並設してなる基板モジュール２の台板２０に、メイン回路基板２１及び電源回路基板２２の下部を受止める受止部２３，２４と、該受止部２３，２４の上側で前記メイン回路基板２１及び電源回路基板２２の下部より上側を螺子止めする取付部２５，２６とを設けた。【選択図】図２
2008033050.tif 000002
【特許請求の範囲】
【請求項１】
前側に表示部を有する薄型表示装置本体の後面に、該後面と平行的に回路基板を取付けてなる薄型表示装置において、前記後面は、前記回路基板の下部を受止める受止部と、該受止部の上側で前記回路基板の下部より上側を螺子止めする取付部とを有することを特徴とする薄型表示装置。
【請求項２】
前側に表示部を有する薄型表示装置本体の後面に、回路基板が装着されている台板を取付けてなる薄型表示装置において、前記台板は、前記回路基板の下部を受止める受止部と、該受止部の上側で前記回路基板の下部より上側を螺子止めする取付部とを有することを特徴とする薄型表示装置。
【請求項３】
前側に表示部を有する薄型表示装置本体の後面に取付けられる複数の第１の回路基板と、該第１の回路基板の間に配置される第２の回路基板と、該第２の回路基板を支持し前記後面に取付けられ、角形をなす台板とを備える薄型表示装置において、前記台板は、前記第２の回路基板の下部を受止める受止部と、該受止部の上側で前記回路基板の下部より上側を螺子止めする取付部とを有することを特徴とする薄型表示装置。
【請求項４】
前側に表示部を有し、後側に該表示部へ光を照射するバックライト部を有する薄型表示装置本体の後面の両側部に、前記バックライト部を駆動するインバータ回路基板を取付け、且つ前記表示部の駆動及び制御を行う制御回路基板を前記後面の上部に固定してなる本体モジュールと、前記表示部に表示する映像を処理させるメイン回路基板及び該メイン回路基板に電圧を供給する電源回路基板を台板に並設してなり、前記制御回路基板の下側で、且つ前記インバータ回路基板の間に取付けられる基板モジュールとを備える薄型表示装置において、前記台板は、前記メイン回路基板及び電源回路基板の下部を受止める受止部と、該受止部の上側で前記メイン回路基板及び電源回路基板の下部より上側を螺子止めする取付部とを有することを特徴とする薄型表示装置。
【請求項５】
前記受止部は、後方へ延出されている底部及び該底部から立上がる立上部を有する請求項１乃至４のいずれか一つに記載の薄型表示装置。
【請求項６】
前記立上部は上下方向に対して後方へ傾斜又は湾曲している請求項５記載の薄型表示装置。
【請求項７】
前記立上部は前後に離隔する前片及び後片を有し、該後片を前片に対して後方へ傾斜又は湾曲してある請求項５記載の薄型表示装置。
【発明の詳細な説明】
【技術分野】
【０００１】
本発明は液晶表示装置、プラズマ表示装置等の薄型表示装置に関する。
【背景技術】
【０００２】
映像を表示する表示部を前側に有する液晶テレビ、プラズマテレビ等の薄型表示装置は、表示部を有する薄型表示装置本体の後面に複数種類の回路基板が取付けられている。
【０００３】
図８は従来の薄型表示装置の後側の模式的斜視図、図９は従来の薄型表示装置の後側の模式的分解斜視図、図１０は従来の薄型表示装置の基板モジュールの構成を示す模式的分解斜視図である。薄型表示装置は、前側に表示部１００を有し、後側に該表示部１００へ光を照射するバックライト部１０１を有する薄型表示装置本体１０２の後面１０２ａの両側部に、前記バックライト部１０１を駆動するインバータ回路基板１０３，１０３を取付け、且つ前記表示部１００の駆動及び制御を行う制御回路基板１０４を前記後面１０２ａの上部に固定してなる本体モジュール１０５と、前記表示部１００に表示する映像を処理させるメイン回路基板１０６及び該メイン回路基板１０６に電圧を供給する電源回路基板１０７を台板１０８に並設してなり、前記制御回路基板１０４の下側で、且つ前記インバータ回路基板１０３，１０３の間に取付けられる基板モジュール１０９と、本体モジュール１０５を支持するスタンド１１０とを備える。
【０００４】
四角形をなすインバータ回路基板１０３、制御回路基板１０４、台板１０８、メイン回路基板１０６及び電源回路基板１０７の周縁部には複数の取付孔が開設され、薄型表示装置本体１０２の後面１０２ａにはインバータ回路基板１０３，１０３、制御回路基板１０４及び台板１０８の取付孔に対応する螺子孔が開設され、台板１０８には、メイン回路基板１０６及び電源回路基板１０７の取付孔に対応する螺子孔が開設されており、夫々の取付孔に挿通される小螺子を夫々の螺子孔に緊締することによりインバータ回路基板１０３，１０３及び制御回路基板１０４を薄型表示装置本体１０２の後面１０２ａに取付け、メイン回路基板１０６及び電源回路基板１０７を台板１０８に取付け、該台板１０８を薄型表示装置本体１０２の後面１０２ａに取付けるように構成されている。
【０００５】
また、回路基板を小螺子で取付ける代わりに、離隔して配置される二つのレールを備え、該二つのレールに沿って回路基板を移動させることにより該回路基板を二つのレールに支持する装置も知られている（例えば、特許文献１、２、３参照）。
【０００６】
特許文献１の装置は、二つのレールの一端側にロック部材を設け、二つのレールに回路基板を挿入支持した後、ロック部材を動作させて回路基板を固定するように構成されている。
【０００７】
特許文献２の装置は、二つのレールの一端側にストッパ部材を設け、ストッパ部材に係合する抜止部を有する回路基板を二つのレールに挿入支持し、ストッパ部材を動作させて回路基板を固定するように構成されている。
【０００８】
特許文献３の装置は、離隔して対向する二つの側壁に異なる方向へ開設された第１及び第２の長孔と、該長孔に挿脱位置への旋回を可能に支持された二つのレールと、該レールの両端部を固定する複数本の取付螺子とを備え、挿脱位置へ旋回されたレールに回路基板を挿入支持した後、レールを復帰旋回させ、取付螺子を緊締することによりレールを固定するように構成されている。
【特許文献１】特開平１０−１３０６１号公報
【特許文献２】特開平１１−８４８３号公報
【特許文献３】特開平７−３３６０７２号公報
【発明の開示】
【発明が解決しようとする課題】
【０００９】
ところが、図８〜図１０に示すように回路基板及び台板が複数本の小螺子により取付けられるものにあっては、螺子締め工数が比較的多いし、また、回路基板及び台板を取付けるときの位置決めが行い難く、また、保守点検等で小螺子が取外しされると回路基板、台板が自重で脱落し、回路基板及び台板に取付けられている回路基板が故障し易くなり、改善策が要望されていた。
【００１０】
また、特許文献１〜３のようにレールに回路基板が支持されるものにあっては、螺子締めのように回路基板が固定されないため、該回路基板にガタつきが発生し易いし、また、二つのレールとは別個にロック部材等の固定機構が必要であるため、構造が複雑でコスト高となり、重量も増加するという問題があった。
【００１１】
本発明は斯かる事情に鑑みてなされたものであり、主たる目的は薄型表示装置本体の後面に、回路基板の下部を受止める受止部と、該受止部の上側で前記回路基板の下部より上側を螺子止めする取付部とを設けることにより、回路基板をガタつきなく容易に取付けることができ、しかも、回路基板の取付／取外しの作業性を高めることができ、また、回路基板の保守点検等で螺子が取外しされたとき、回路基板が自重で脱落するのを防ぐことができる薄型表示装置を提供することにある。
【００１２】
また、他の目的は回路基板が装着される台板に、回路基板の下部を受止める受止部と、該受止部の上側で前記回路基板の下部より上側を螺子止めする取付部とを設けることにより、回路基板をガタつきなく容易に取付けることができ、しかも、回路基板の取付／取外しの作業性を高めることができ、また、回路基板の保守点検等で螺子が取外しされたとき、回路基板が自重で脱落するのを防ぐことができる薄型表示装置を提供することにある。
【００１３】
また、他の目的は第１の回路基板の間に配置される第２の回路基板を支持し薄型表示装置本体の後面に取付けられる台板に、第２の回路基板の下部を受止める受止部と、該受止部の上側で前記回路基板の下部より上側を螺子止めする取付部とを設けることにより、回路基板をガタつきなく容易に取付けることができ、しかも、回路基板の取付／取外しの作業性を高めることができ、また、回路基板の保守点検等で螺子が取外しされたとき、回路基板が自重で脱落するのを防ぐことができる薄型表示装置を提供することにある。
【００１４】
また、他の目的は後面の両側部にインバータ回路基板を取付け、上部に制御回路基板を固定してなる本体モジュールの制御回路基板の下側で、且つインバータ回路基板の間に取付けられる基板モジュールの台板に、メイン回路基板及び電源回路基板の下部を受止める受止部と、該受止部の上側で前記メイン回路基板及び電源回路基板の下部より上側を螺子止めする取付部とを設けることにより、メイン回路基板及び電源回路基板をガタつきなく容易に取付けることができ、しかも、メイン回路基板及び電源回路基板の取付／取外しの作業性を高めることができ、また、メイン回路基板及び電源回路基板の保守点検等で螺子が取外しされたとき、メイン回路基板及び電源回路基板が自重で脱落するのを防ぐことができる薄型表示装置を提供することにある。
【００１５】
また、他の目的は受止部を、後方へ延出されている底部及び該底部から立上がる立上部を有する構成とすることにより、回路基板下部のガタつきをより一層困難にできるとともに、回路基板の取付／取外しの作業性をより一層高めることができ、また、回路基板の保守点検等で上側の螺子が取外しされたとき、回路基板が転倒するのを困難にできる薄型表示装置を提供することにある。
【００１６】
また、他の目的は立上部を、上下方向に対して後方へ傾斜又は湾曲している構成とすることにより、受止部の上側の取付部等の凸部に邪魔されることなく回路基板を容易に受止めることができる薄型表示装置を提供することにある。
【００１７】
また、他の目的は立上部を、前後に離隔する前片及び後片を有し、該後片を前片に対して後方へ傾斜又は湾曲してある構成とすることにより、回路基板の一面に実装されている電子部品の一部が回路基板の他面に突出していたり、前記取付部が後方へ突出している場合においても、前記電子部品の突出部、取付部に邪魔されることなく、回路基板の下部を受止部に容易に嵌め込むことができる薄型表示装置を提供することにある。
【課題を解決するための手段】
【００１８】
本発明に係る薄型表示装置は、前側に表示部を有する薄型表示装置本体の後面に、該後面と平行的に回路基板を取付けてなる薄型表示装置において、前記後面は、前記回路基板の下部を受止める受止部と、該受止部の上側で前記回路基板の下部より上側を螺子止めする取付部とを有することを特徴とする。
【００１９】
この発明にあっては、回路基板の下部を受止部で受止めて容易に位置決めすることができ、この位置決め状態で、回路基板の上側を螺子止めすることができるため、回路基板の荷重を作業員が負担することなく、位置決めされた回路基板を薄型表示装置本体の後面にガタつきなく容易に取付けることができ、しかも、回路基板の下部を螺子止めすることなく該回路基板の上側を螺子止めするため、回路基板の取付／取外しの作業性をより一層高めることができ、また、回路基板取付用の螺子の個数を低減でき、薄型表示装置のコスト低減を図ることができる。また、回路基板の下部を受止部で受止め、回路基板の上側を螺子止めするため、回路基板の保守点検等で螺子が取外しされたとき、回路基板が自重で脱落するのを防ぐことができる。
【００２０】
また、本発明に係る薄型表示装置は、前側に表示部を有する薄型表示装置本体の後面に、回路基板が装着されている台板を取付けてなる薄型表示装置において、前記台板は、前記回路基板の下部を受止める受止部と、該受止部の上側で前記回路基板の下部より上側を螺子止めする取付部とを有することを特徴とする。
【００２１】
この発明にあっては、回路基板の下部を受止部で受止めて容易に位置決めすることができ、この位置決め状態で、回路基板の上側を螺子止めすることができるため、回路基板の荷重を作業員が負担することなく、位置決めされた回路基板を台板にガタつきなく容易に取付けることができ、しかも、回路基板の下部を螺子止めすることなく該回路基板の上側を螺子止めするため、回路基板の取付／取外しの作業性をより一層高めることができ、また、回路基板取付用の螺子の個数を低減でき、薄型表示装置のコスト低減を図ることができる。また、回路基板の下部を受止部で受止め、回路基板の上側を螺子止めするため、回路基板の保守点検等で螺子が取外しされたとき、回路基板が自重で脱落するのを防ぐことができる。
【００２２】
また、本発明に係る薄型表示装置は、前側に表示部を有する薄型表示装置本体の後面に取付けられる複数の第１の回路基板と、該第１の回路基板の間に配置される第２の回路基板と、該第２の回路基板を支持し前記後面に取付けられ、角形をなす台板とを備える薄型表示装置において、前記台板は、前記第２の回路基板の下部を受止める受止部と、該受止部の上側で前記回路基板の下部より上側を螺子止めする取付部とを有することを特徴とする。
【００２３】
この発明にあっては、第２の回路基板の下部を受止部で受止めて容易に位置決めすることができ、この位置決め状態で、第２の回路基板の上側を螺子止めすることができるため、第２の回路基板の荷重を作業員が負担することなく、位置決めされた第２の回路基板を台板にガタつきなく容易に取付けることができ、しかも、第２の回路基板の下部を螺子止めすることなく該第２の回路基板の上側を螺子止めするため、第２の回路基板の取付／取外しの取付作業性をより一層高めることができ、また、第２の回路基板取付用の螺子の個数を低減でき、薄型表示装置のコスト低減を図ることができる。また、回路基板の下部を受止部で受止め、回路基板の上側を螺子止めするため、回路基板の保守点検等で螺子が取外しされたとき、回路基板が自重で脱落するのを防ぐことができる。
【００２４】
また、本発明に係る薄型表示装置は、前側に表示部を有し、後側に該表示部へ光を照射するバックライト部を有する薄型表示装置本体の後面の両側部に、前記バックライト部を駆動するインバータ回路基板を取付け、且つ前記表示部の駆動及び制御を行う制御回路基板を前記後面の上部に固定してなる本体モジュールと、前記表示部に表示する映像を処理させるメイン回路基板及び該メイン回路基板に電圧を供給する電源回路基板を台板に並設してなり、前記制御回路基板の下側で、且つ前記インバータ回路基板の間に取付けられる基板モジュールとを備える薄型表示装置において、前記台板は、前記メイン回路基板及び電源回路基板の下部を受止める受止部と、該受止部の上側で前記メイン回路基板及び電源回路基板の下部より上側を螺子止めする取付部とを有することを特徴とする。
【００２５】
この発明にあっては、メイン回路基板及び電源回路基板の下部を受止部で受止めて容易に位置決めすることができ、この位置決め状態で、メイン回路基板及び電源回路基板の上側を螺子止めすることができるため、メイン回路基板及び電源回路基板の荷重を作業員が負担することなく、位置決めされたメイン回路基板及び電源回路基板を台板にガタつきなく容易に取付けることができ、しかも、メイン回路基板及び電源回路基板の下部を螺子止めすることなく該メイン回路基板及び電源回路基板の上側を螺子止めするため、メイン回路基板及び電源回路基板の取付／取外しの作業性をより一層高めることができ、また、メイン回路基板及び電源回路基板取付用の螺子の個数を低減でき、薄型表示装置のコスト低減を図ることができる。また、回路基板の下部を受止部で受止め、回路基板の上側を螺子止めするため、回路基板の保守点検等で螺子が取外しされたとき、回路基板が自重で脱落するのを防ぐことができる。
【００２６】
また、本発明に係る薄型表示装置は、前記受止部は、後方へ延出されている底部及び該底部から立上がる立上部を有することを特徴とする。
【００２７】
この発明にあっては、薄型表示装置本体の後面、又は台板に対して上方から受止部に向けて回路基板を移動させ、該回路基板の下部を立上部の内側に嵌め込むことができるため、回路基板下部のガタつきをより一層困難にできるとともに、回路基板の取付／取外しの作業性をより一層高めることができる。しかも、回路基板の下部を立上部の内側で保持することができるため、回路基板の保守点検等で上側の螺子が取外しされたとき、回路基板が転倒するのを困難にでき、回路基板の保守点検等を容易にできる。
【００２８】
また、本発明に係る薄型表示装置は、前記立上部は上下方向に対して後方へ傾斜又は湾曲していることを特徴とする。
【００２９】
この発明にあっては、薄型表示装置本体の後面、又は台板に対して斜め上方から受止部に向けて回路基板を移動させ、該回路基板の下部を受止部の傾斜又は湾曲する立上部に当接させつつ回路基板を前記後面又は台板に向けて回動させて立上部の内側に嵌め込むことができるため、前記受止部の上側の取付部等の凸部に邪魔されることなく回路基板を容易に受止めることができる。
【００３０】
また、本発明に係る薄型表示装置は、前記立上部は前後に離隔する前片及び後片を有し、該後片を前片に対して後方へ傾斜又は湾曲してあることを特徴とする。
【００３１】
この発明にあっては、薄型表示装置本体の後面、又は台板に対して斜め上方から受止部に向けて回路基板を移動させ、該回路基板の下部を受止部の傾斜又は湾曲する後片に当接させつつ回路基板を前記後面又は台板に向けて回動させて後片と前片との間に嵌め込むことができるため、回路基板の一面に実装されている電子部品の一部が回路基板の他面に突出していたり、前記取付部が後方へ突出している場合においても、前記電子部品の突出部、取付部に邪魔されることなく、回路基板の下部を受止部に容易に嵌め込むことができ、回路基板の取付／取外しの作業性を高めることができ、しかも、回路基板を離隔させることができ、回路基板に実装されている電子部品が台板に押圧されるのを防ぐことができる。
【発明の効果】
【００３２】
以上詳述したように本発明によれば、回路基板の下部を受止部で受止め、上側を螺子止めするため、回路基板の位置決めを容易にできるとともに、螺子止め工数を低減でき、回路基板の取付／取外しの作業性を高めることができ、また、回路基板取付用の螺子の個数を低減でき、薄型表示装置のコスト低減を図ることができる。しかも、回路基板の荷重を作業員が負担することなく、位置決めされた回路基板をガタつきなく容易に取付けることができるとともに、回路基板の保守点検等で螺子が取外しされたとき、回路基板が自重で脱落するのを防ぐことができる。
【００３３】
また、本発明によれば、第２の回路基板の下部を受止部で受止め、上側を螺子止めするため、第２の回路基板の位置決めを容易にできるとともに、螺子止め工数を低減でき、第２の回路基板の取付／取外しの作業性を高めることができ、また、第２の回路基板取付用の螺子の個数を低減でき、薄型表示装置のコスト低減を図ることができる。しかも、第２の回路基板の荷重を作業員が負担することなく、位置決めされた第２の回路基板をガタつきなく容易に取付けることができるとともに、第２の回路基板の保守点検等で螺子が取外しされたとき、第２の回路基板が自重で脱落するのを防ぐことができる。
【００３４】
また、本発明によれば、メイン回路基板及び電源回路基板の下部を受止部で受止め、上側を螺子止めするため、メイン回路基板及び電源回路基板の位置決めを容易にできるとともに、螺子止め工数を低減でき、メイン回路基板及び電源回路基板の取付／取外しの作業性を高めることができ、また、回路基板取付用の螺子の個数を低減でき、薄型表示装置のコスト低減を図ることができる。しかも、メイン回路基板及び電源回路基板の荷重を作業員が負担することなく、位置決めされたメイン回路基板及び電源回路基板をガタつきなく容易に取付けることができるとともに、メイン回路基板及び電源回路基板の保守点検等で螺子が取外しされたとき、メイン回路基板及び電源回路基板が自重で脱落するのを防ぐことができる。
【００３５】
また、本発明によれば、上方から受止部に向けて回路基板を移動させ、該回路基板の下部を立上部の内側に嵌め込むことができるため、回路基板下部のガタつきをより一層困難にできるとともに、回路基板の取付／取外しの作業性をより一層高めることができ、しかも、回路基板の保守点検等で上側の螺子が取外しされたとき、回路基板が転倒するのを困難にでき、回路基板の保守点検等を容易にできる。
【００３６】
また、本発明によれば、斜め上方から受止部に向けて回路基板を移動させ、該回路基板の下部を受止部の傾斜又は湾曲する立上部に当接させつつ回路基板を後面又は台板に向けて回動させることにより立上部の内側に嵌め込むことができるため、前記受止部の上側の取付部等の凸部に邪魔されることなく回路基板を容易に受止めることができる。
【００３７】
また、本発明によれば、斜め上方から受止部に向けて回路基板を移動させ、該回路基板の下部を受止部の傾斜又は湾曲する後片に当接させつつ回路基板を前記後面又は台板に向けて回動させて後片と前片との間に嵌め込むことができるため、回路基板の一面に実装されている電子部品の一部が回路基板の他面に突出していたり、前記取付部が後方へ突出している場合においても、前記電子部品の突出部、取付部に邪魔されることなく、回路基板の下部を受止部に容易に嵌め込むことができ、回路基板の取付／取外しの作業性を高めることができ、しかも、回路基板を離隔させることができ、回路基板に実装されている電子部品が台板に押圧されるのを防ぐことができる。
【発明を実施するための最良の形態】
【００３８】
以下本発明をその実施の形態を示す図面に基づいて詳述する。図１は本発明に係る薄型表示装置の構成を示す後側の模式的斜視図、図２は薄型表示装置の構成を示す後側の分解した模式的斜視図、図３は基板モジュールの構成を示す後側の分解した模式的斜視図、図４は基板モジュールの構成を示すもので、(a) は回路基板の取付過程を示す模式的断面図、(b) は回路基板が取付けられた状態を示す模式的断面図である。
【００３９】
図示した薄型表示装置は、前側に表示部１１を有し、後側に該表示部１１へ光を照射するバックライト部１２を有する薄型表示装置本体１０の後面１０ａの両側部に、前記バックライト部１２を駆動するインバータ回路基板１３，１３を取付け、且つ前記表示部１１の駆動及び制御を行う制御回路基板１４を前記後面１０ａの上部に固定してなる本体モジュール１と、前記表示部１１に表示する映像を処理させるメイン回路基板２１及び該メイン回路基板２１に電圧を供給する電源回路基板２２を台板２０に並設してなり、前記制御回路基板１４の下側で、且つ前記インバータ回路基板１３，１３の間に取付けられる基板モジュール２と、本体モジュール１を支持するスタンド３とを備える液晶テレビである。
【００４０】
表示部１１は、前側に表示面を有し略直方体をなすパネル、及び該パネルの後側に配置された拡散板等の光学シートを備える。バックライト部１２は、前記光学シートの後側に上下に並置され、該光学シート側へ光を照射する複数本のランプと、該ランプを収容支持する筺体１２ａとを備える。前記ランプは両端部に電極を有する冷陰極管であり、夫々のランプの両端部の電極にインバータ回路基板１３，１３が接続され、パルス幅変調信号により明るさが制御されるように構成されている。また、筺体１２ａは略直方体をなす枠部と、該枠部の後側端を閉塞する蓋板とを有し、該蓋板が薄型表示装置本体１０の後面１０ａになっている。
【００４１】
後面１０ａの両側部で上下位置にはインバータ回路基板１３，１３の周縁部を取付けるための複数の第１の螺子孔１５が開設されており、後面１０ａの上部には制御回路基板１４の周縁部を取付けるための複数の第２の螺子孔１６が開設されており、後面１０ａの下部には台板２０の周縁部を取付けるための複数の第３の螺子孔１７が開設されている。
【００４２】
インバータ回路基板１３，１３は周縁部に取付孔を有する短冊形をなし、上下方向（ランプの並置方向）に配置され、前記取付孔に挿通される小螺子４を第１の螺子孔１５に緊締することにより後面１０ａに取付けられている。
【００４３】
制御回路基板１４は周縁部に取付孔を有する矩形をなし、横方向に配置され、前記取付孔に挿通される小螺子４を第２の螺子孔１６に緊締することにより後面１０ａに取付けられている。尚、インバータ回路基板１３，１３及び制御回路基板１４が第１の回路基板を構成している。
【００４４】
台板２０は周縁部に複数の取付孔２０ａを有し、後面１０ａと対向する金属板からなり、下部の両側にはメイン回路基板２１、電源回路基板２２を受止める第１及び第２の受止部２３，２４が突設されており、また、台板２０の上部の両側にはメイン回路基板２１、電源回路基板２２の上部を取付けるための第１及び第２の取付部２５，２６が各二つ突設されている。
【００４５】
第１及び第２の受止部２３，２４は、台板２０の後面から後方へ延出され、メイン回路基板２１、電源回路基板２２の下部を受止める横長の底部２３ａ，２４ａと、該底部２３ａ，２４ａの先側の前後位置から立上がる立上部としての前片２３ｂ，２４ｂ及び後片２３ｃ，２４ｃとを有し、一体成形されている。後片２３ｃ，２４ｃは前片２３ｂ，２４ｂに対して後方へ傾斜している。この後片２３ｃ，２４ｃの傾斜は図４のように上部だけを傾斜させる他、全体を傾斜させてもよい。また、前片２３ｂ，２４ｂ及び後片２３ｃ，２４ｃはメイン回路基板２１、電源回路基板２２に対応する横方向長さに形成されているが、その他、横方向に離隔して複数有する構成としてもよい。この場合、前片２３ｂ，２４ｂ及び後片２３ｃ，２４ｃは前後に対向する構成とする他、横方向へ位置ずれした構成としてもよい。
【００４６】
第１及び第２の取付部２５，２６は切起し加工により略Ｌ字形に成形された突起、換言すると後方へ延出された基片２５ａ，２６ａと、該基片２５ａ，２６ａから直角状に曲げられた先片２５ｂ，２６ｂとからなり、第１の取付部２５の先片２５ｂに第４の螺子孔２７が、また、第２の取付部２６の先片２６ｂに第５の螺子孔２８が夫々開設されている。
【００４７】
メイン回路基板２１の上部には第１の取付部２５，２５の第４の螺子孔２７，２７に対応する取付孔２１ａ，２１ａが開設されており、電源回路基板２２の上部には第２の取付部２６，２６の第５の螺子孔２８，２８に対応する取付孔２２ａ，２２ａが開設されている。尚、メイン回路基板２１及び電源回路基板２２が第２の回路基板を構成している。
【００４８】
図５は台板の構成を示す正面図、図６は台板の構成を示す背面図、図７は台板の構成を示す側面図である。図５〜図７に示すように台板２０には第１及び第２の受止部２３，２４、第１及び第２の取付部２５，２６の他、複数の切起し片等の凸部が設けられている。尚、第１及び第２の取付部２５，２６は、図１〜図４に示すように台板２０の上部にだけ設ける他、台板２０の上下方向中間部に設けてもよく、受止部２３，２４の上側でメイン回路基板２１及び電源回路基板２２の下部より上側を取付ける位置に設けてあればよい。
【００４９】
以上のように構成された薄型表示装置は、本体モジュール１と基板モジュール２とが別個に形成され、本体モジュール１の後面１０ａに基板モジュール２が取付けられる。
【００５０】
基板モジュール２の台板２０には第１及び第２の受止部２３，２４と、第１及び第２の取付部２５，２６とが設けられており、しかも、第１及び第２の受止部２３，２４の後片２３ｃ，２４ｃは前片２３ｂ，２４ｂに対して後方へ傾斜しているため、換言すると上下方向に対して後方へ傾斜しているため、基板モジュール２を組み立てるとき、図４の(a) に示すようにメイン回路基板２１を台板２０の斜め上方から第１の受止部２３に向けて移動させることにより、該メイン回路基板２１の下部を後片２３ｃに当接させることができ、この当接状態でメイン回路基板２１の位置を決めることができるとともに、メイン回路基板２１を台板２０に向けて回動させることにより該メイン回路基板２１の下部を後片２３ｃと前片２３ｂとの間に嵌め込むことができ、該メイン回路基板２１の上部を第１の取付部２５の先片２５ｂに当接させることができる。この状態で小螺子４を取付孔２１ａに挿通し第４の螺子孔２７に緊締することによりメイン回路基板２１を台板２０に取付けることができる。
【００５１】
同様に電源回路基板２２を台板２０の斜め上方から第２の受止部２４に向けて移動させることにより、該電源回路基板２２の下部を後片２４ｃに当接させることができ、この当接状態で電源回路基板２２の位置を決めることができるとともに、電源回路基板２２を台板２０に向けて回動させることにより該電源回路基板２２の下部を後片２４ｃと前片２４ｂとの間に嵌め込むことができ、該電源回路基板２２の上部を第２の取付部２６の先片に当接させることができる。この状態で小螺子４を取付孔２２ａに挿通し第５の螺子孔２８に緊締することにより電源回路基板２２を台板２０に取付けることができる。
【００５２】
このようにメイン回路基板２１の下部、電源回路基板２２の下部を後片２３ｃ，２４ｃ及び前片２３ｂ，２４ｂに面接触させて保持することができるため、メイン回路基板２１及び電源回路基板２２の下部のガタつきをなくすることができる。しかも、メイン回路基板２１及び電源回路基板２２は、下部を嵌め込みにより保持し、上部を螺子止めするため、螺子締め工数を半減することが可能であり、組立て作業性を高めることができ、薄型表示装置のコストを低減できる。
【００５３】
尚、以上説明した実施の形態では、基板モジュール２のメイン回路基板２１及び電源回路基板２２を台板２０に取付ける手段として第１及び第２の受止部２３，２４と、第１及び第２の取付部２５，２６とを台板２０に設けたが、その他、インバータ回路基板１３，１３、制御回路基板１４、台板２０を薄型表示装置本体１０の後面１０ａに取付ける手段として受止部２３，２４及び取付部２５，２６を備える構成とし、下部を受止部２３，２４で受止め、上部を螺子止めするようにしてもよい。
【００５４】
また、以上説明した実施の形態では本体モジュール１の後面１０ａに基板モジュール２を取付ける構成としたが、その他、本体モジュール１と基板モジュール２とに分けることなく薄型表示装置本体１０の後面１０ａに複数の回路基板が並設される構成において、少なくとも一つの回路基板を取付ける手段として受止部２３，２４及び取付部２５，２６の一つを備える構成としてもよいし、また、薄型表示装置本体１０の後面１０ａに一つの回路基板が取付けられる構成において、一つの回路基板を取付ける手段として受止部２３，２４の一つ及び取付部２５，２６の一つを備える構成としてもよい。
【００５５】
また、以上説明した実施の形態では、受止部２３，２４が立上部としての前片２３ｂ，２４ｂ及び後片２３ｃ，２４ｃを有する構成としたが、その他、前片２３ｂ，２４ｂをなくし、立上部としての後片２３ｃ，２４ｃだけを有する構成としてもよい。この場合、後片２３ｃ，２４ｃは図４と同様に傾斜する構成とするか、又は傾斜させることなく立上がる構成とする。また、後片２３ｃ，２４ｃだけとする場合、後片２３ｃ，２４ｃと台板２０の後面との間の間隔を回路基板の厚さに対応する間隔とし、回路基板のガタつきをなくする。
【００５６】
また、以上説明した実施の形態では、後片２３ｃ，２４ｃを傾斜させる構成したが、その他、後片２３ｃ，２４ｃを後方へ湾曲させる構成としてもよい。
【００５７】
また、以上説明した実施の形態では、取付部２５，２６を突起構造としたが、その他、取付部２５，２６は台板２０に直接開設された構成としてもよい。
【００５８】
また、本発明に係る薄型表示装置は液晶テレビ等の液晶表示装置である他、プラズマ表示装置、ＥＬディスプレィ等の表示装置であってもよい。
【図面の簡単な説明】
【００５９】
【図１】本発明に係る薄型表示装置の構成を示す後側の模式的斜視図である。
【図２】本発明に係る薄型表示装置の構成を示す後側の分解した模式的斜視図である。
【図３】本発明に係る薄型表示装置の基板モジュールの構成を示す後側の分解した模式的斜視図である。
【図４】本発明に係る薄型表示装置の基板モジュールの構成を示すもので、(a) は回路基板の取付過程を示す模式的断面図、(b) は回路基板が取付けられた状態を示す模式的断面図である。
【図５】本発明に係る薄型表示装置の台板の構成を示す正面図である。
【図６】本発明に係る薄型表示装置の台板の構成を示す背面図である。
【図７】本発明に係る薄型表示装置の台板の構成を示す側面図である。
【図８】従来の薄型表示装置の後側の模式的斜視図である。
【図９】従来の薄型表示装置の後側の模式的分解斜視図である。
【図１０】従来の薄型表示装置の基板モジュールの構成を示す模式的分解斜視図である。
【符号の説明】
【００６０】
１    本体モジュール
１０  薄型表示装置本体
１０ａ  後面
１１  表示部
１２  バックライト部
１３  インバータ回路基板（第１の回路基板）
１４  制御回路基板（第１の回路基板）
２    基板モジュール
２０  台板
２１  メイン回路基板（第２の回路基板）
２２  電源回路基板（第２の回路基板）
２３  第１の受止部
２３ａ  底部
２３ｂ  前片
２３ｃ  後片
２４  第２の受止部
２４ａ  底部
２４ｂ  前片
２４ｃ  後片
２５  第１の取付部
２６  第２の取付部
【図１】
2008033050.tif 000003
【図２】
2008033050.tif 000004
【図３】
2008033050.tif 000005
【図４】
2008033050.tif 000006
【図５】
2008033050.tif 000007
【図６】
2008033050.tif 000008
【図７】
2008033050.tif 000009
【図８】
2008033050.tif 000010
【図９】
2008033050.tif 000011
【図１０】
2008033050.tif 000012